(57)【要約】【課題】金融商品のパンフレットの記載内容を容易かつ正確に把握可能とし、営業担当者が存在しない環境でパンフレットを読む場合であっても、実際に営業担当者から説明を受けているような感覚でパンフレットを読むことを可能とする。【解決手段】金融商品を説明するための印刷物１は、金融商品の説明文４１〜４３が印刷されている金融商品パンフレット２と、金融商品パンフレット２を読み進む際のナビゲーション情報として、金融商品パンフレット２の記載事項の簡易説明文５１，５２と、金融商品パンフレット２の記載事項へ誘導するための誘導情報６１，６２とが記載されているパンフレット補助印刷物３とを具備する。【選択図】      図１
0003117869.tif 000002
【実用新案登録請求の範囲】
【請求項１】
金融商品を説明するための印刷物であって、
前記金融商品の説明文が印刷されている金融商品パンフレットと、
前記金融商品パンフレットを読み進む際のナビゲーション情報として、前記金融商品パンフレットの記載事項の簡易説明文と、前記金融商品パンフレットの記載事項へ誘導するための誘導情報とが記載されているパンフレット補助印刷物と
を具備する印刷物。
【請求項２】
請求項１記載の印刷物において、
前記金融商品パンフレットの各ページには、ページ番号が付されており、
前記誘導情報は、前記ページ番号を特定して前記金融商品パンフレットの記載事項へ誘導する情報を含む
ことを特徴とする印刷物。
【請求項３】
請求項１又は請求項２記載の印刷物において、
前記金融商品パンフレットには、前記金融商品に関する表と図とのうちの少なくとも一方がさらに印刷されていることを特徴とする印刷物。
【請求項４】
請求項１乃至請求項３のいずれか１項記載の印刷物において、
前記金融商品は、保険商品であることを特徴とする印刷物。
【請求項５】
請求項１乃至請求項４のいずれか１項記載の印刷物において、
前記簡易説明文は、営業担当者が前記金融商品パンフレットを用いて顧客に対して行う説明と整合した内容であることを特徴とする印刷物。
【請求項６】
請求項１乃至請求項５のいずれか１項記載の印刷物において、
前記金融商品パンフレットは、横展開式であり、
前記パンフレット補助印刷物は、縦展開式である
ことを特徴とする印刷物。
【請求項７】
請求項１乃至請求項６のいずれか１項記載の印刷物において、
前記パンフレット補助印刷物には、営業担当者イラストが記載されており、
前記簡易説明文は、前記営業担当者イラストのセリフとして前記パンフレット補助印刷物に記載されている
ことを特徴とする印刷物。
【請求項８】
請求項１乃至請求項７のいずれか１項記載の印刷物において、
前記簡易説明文は、前記金融商品の特徴の概略説明を含むことを特徴とする印刷物。
【請求項９】
請求項１乃至請求項８のいずれか１項記載の印刷物において、
前記簡易説明文は、前記金融商品のシミュレーション情報を含むことを特徴とする印刷物。
【請求項１０】
金融商品パンフレットを読み進む際のナビゲーション情報として、前記金融商品パンフレットの記載事項の簡易説明文と、前記金融商品パンフレットの記載事項へ誘導するための誘導情報とが記載されているパンフレット補助印刷物。
【請求項１１】
請求項１０記載のパンフレット補助印刷物において、
前記誘導情報は、前記金融商品パンフレットの各ページに付されているページ番号を特定して前記金融商品パンフレットの記載事項へ誘導する情報を含むことを特徴とするパンフレット補助印刷物。
【請求項１２】
請求項１０又は請求項１１記載の印刷物において、
前記金融商品は、保険商品であることを特徴とする印刷物。
【請求項１３】
請求項１０乃至請求項１２のいずれか１項記載のパンフレット補助印刷物において、
前記簡易説明文は、営業担当者が前記金融商品パンフレットを用いて顧客に対して行う説明と整合した内容であることを特徴とするパンフレット補助印刷物。
【請求項１４】
請求項１０乃至請求項１３のいずれか１項記載のパンフレット補助印刷物において、
前記パンフレット補助印刷物は、縦展開式である
ことを特徴とするパンフレット補助印刷物。
【請求項１５】
請求項１０乃至請求項１４のいずれか１項記載のパンフレット補助印刷物において、
営業担当者イラストがさらに記載されており、
前記簡易説明文は、前記営業担当者イラストのセリフとして記載されている
ことを特徴とするパンフレット補助印刷物。
【請求項１６】
請求項１０乃至請求項１５のいずれか１項記載のパンフレット補助印刷物において、
前記簡易説明文は、前記金融商品の特徴の概略説明を含むことを特徴とするパンフレット補助印刷物。
【請求項１７】
請求項１０乃至請求項１６のいずれか１項記載のパンフレット補助印刷物において、
前記簡易説明文は、前記金融商品のシミュレーション情報を含むことを特徴とするパンフレット補助印刷物。
【考案の詳細な説明】
【技術分野】
【０００１】
本考案は、金融商品を説明するための印刷物及びパンフレット補助印刷物に関する。
【背景技術】
【０００２】
金融商品の販売会社又は営業担当者は、自社の金融商品の販売を促進するため、金融商品を説明・紹介するためのパンフレットを顧客に提供する。
【０００３】
金融商品に関する印刷物の一例として、下記の特許文献１（実用新案登録第３０６２９３９号）及び特許文献２（実用新案登録第３０６２９４０号）などがある。
【特許文献１】実用新案登録第３０６２９３９号
【特許文献２】実用新案登録第３０６２９４０号
【考案の開示】
【考案が解決しようとする課題】
【０００４】
しかしながら、顧客にとって、金融商品のパンフレットの記載内容から容易かつ正確に金融商品の特徴や重要点を把握することが困難な場合がある。
【０００５】
また、顧客は、営業担当者が存在しない環境でパンフレットを読む場合であっても、実際に営業担当者から説明を受けているような感覚でパンフレットを読みたいと考える。
【０００６】
本考案は、以上のような実情に鑑みてなされたもので、金融商品のパンフレットの記載内容を容易かつ正確に把握可能とし、営業担当者が存在しない環境でパンフレットを読む場合であっても、実際に営業担当者から説明を受けているような感覚でパンフレットを読むことを可能とするための印刷物及びパンフレット補助印刷物を提供することを目的とする。
【課題を解決するための手段】
【０００７】
本考案の第１の態様において、金融商品を説明するための印刷物は、金融商品の説明文が印刷されている金融商品パンフレットと、金融商品パンフレットを読み進む際のナビゲーション情報として、金融商品パンフレットの記載事項の簡易説明文と、金融商品パンフレットの記載事項へ誘導するための誘導情報とが記載されているパンフレット補助印刷物とを具備する。
【０００８】
本考案の第２の態様において、パンフレット補助印刷物には、金融商品パンフレットを読み進む際のナビゲーション情報として、金融商品パンフレットの記載事項の簡易説明文と、金融商品パンフレットの記載事項へ誘導するための誘導情報とが記載されている。
【考案の効果】
【０００９】
本考案により、顧客は、金融商品のパンフレットの記載内容を容易かつ正確に把握することができ、営業担当者が存在しない環境でパンフレットを読む場合であっても、実際に営業担当者から説明を受けているような感覚でパンフレットを読むことができる。
【考案を実施するための最良の形態】
【００１０】
以下、図面を参照しながら本考案の実施の形態について説明する。なお、以下の各図において同一の部分については同一の符号を付して説明を省略する。
【００１１】
本実施の形態においては、金融商品が保険商品の場合について説明するが、保険商品ではない他の金融商品についても同様である。
【００１２】
図１は、本実施の形態に係る印刷物の第１の構成内容を示す図である。
【００１３】
印刷物１は、保険商品パンフレット２とパンフレット補助印刷物３との組み合わせにより構成され、金融商品を説明するために用いられる。
【００１４】
保険商品パンフレット２には、保険商品を紹介するための説明文４１〜４３と保険商品に関する図Ｆ１が印刷されている。保険商品パンフレット２は、横に展開する。この保険商品パンフレット２は、閉じた状態で例えばＡ４サイズ又はＢ５サイズであることが好ましい。保険商品パンフレット２の各ページには、ページ番号Ｎが付されている。
【００１５】
パンフレット補助印刷物３には、保険商品パンフレット２の記載事項（例えば、説明文４１〜４３、図Ｆ１）の簡易説明文５１，５２が記載されている。
【００１６】
また、パンフレット補助印刷物３には、保険商品パンフレット２の記載事項へ顧客の視線を誘導するための誘導情報６１，６２が記載されている。
【００１７】
簡易説明文５１，５２と誘導情報６１，６２とは、保険商品パンフレット２を読み進む際のナビゲーション情報として、パンフレット補助印刷物３に記載される。
【００１８】
誘導情報６１は、保険商品パンフレット２のページ番号Ｎを指定することにより、パンフレット補助印刷物３から保険商品パンフレット２の記載事項へ顧客の視線を誘導する。
【００１９】
誘導情報６２は、保険商品パンフレット２の図Ｆ１を指定することにより、パンフレット補助印刷物３から保険商品パンフレット２の記載事項へ顧客の視線を誘導する。
【００２０】
本実施の形態において、パンフレット補助印刷物３における簡易説明文５１，５２は、営業担当者が保険商品パンフレット２を顧客に提示して口頭で行う営業活動における保険商品の説明と整合した内容であるとする。なお、誘導情報６１，６２についても、営業担当者が保険商品パンフレット２を顧客に提示して口頭で行う営業活動における保険商品の説明と整合しているとしてもよい。
【００２１】
また、パンフレット補助印刷物３には、営業担当者イラスト７が記載されている。パンフレット補助印刷物３における簡易説明文５１，５２及び誘導情報６１，６２は、営業担当者イラスト７のセリフ（語り）としてパンフレット補助印刷物３に記載されている。パンフレット補助印刷物３は、縦に展開する。このパンフレット補助印刷物３は、閉じた状態で保険商品パンフレット２と同じサイズであることが好ましく、具体的にはＡ４サイズ又はＢ５サイズであることが好ましい。
【００２２】
パンフレット補助印刷物３における簡易説明文５２は、保険商品の特徴の概略説明である。
【００２３】
図２は、本実施の形態に係る印刷物１の第２の構成内容を示す図である。
【００２４】
また、図３は、本実施の形態に係る印刷物１の第３の構成内容を示す図である。
【００２５】
保険商品パンフレット２には、保険商品に関する表Ｔ１が印刷されている。
【００２６】
パンフレット補助印刷物３には、保険商品パンフレット２の記載事項へ顧客の視線を誘導するための誘導情報６３，６４が記載されている。
【００２７】
誘導情報６３は、保険商品パンフレット２のページ番号Ｎを指定することにより、パンフレット補助印刷物３から保険商品パンフレット２の記載事項へ顧客の視線を誘導する。
【００２８】
誘導情報６４は、保険商品パンフレット２の表Ｔ１を指定することにより、パンフレット補助印刷物３から保険商品パンフレット２の記載事項へ顧客の視線を誘導する。
【００２９】
また、パンフレット補助印刷物３には、保険商品パンフレット２の記載事項（例えば、表Ｔ１）の簡易説明文５３〜５６が記載されている。
【００３０】
本実施の形態において、パンフレット補助印刷物３における簡易説明文５３〜５６は、営業担当者が保険商品パンフレット２を顧客に提示して口頭で行う営業活動における保険商品の説明と整合した内容であるとする。なお、誘導情報６３，６４についても、営業担当者が保険商品パンフレット２を顧客に提示して口頭で行う営業活動における保険商品の説明と整合しているとしてもよい。
【００３１】
また、パンフレット補助印刷物３には、営業担当者イラスト７が記載されている。パンフレット補助印刷物３における簡易説明文５３〜５６及び誘導情報６３，６４は、営業担当者イラスト７のセリフ（語り）としてパンフレット補助印刷物３に記載されている。
【００３２】
パンフレット補助印刷物３における簡易説明文５３〜５６は、保険商品のシミュレーション情報であり、例えば保険料１０００万円でこの保険商品に加入した場合の具体的な例を説明している。
【００３３】
図４は、本実施の形態に係るパンフレット補助印刷物３のあるページの記載内容の一例を示す図である。
【００３４】
このパンフレット補助印刷物３のページには、保険商品パンフレット２の記載事項へ顧客の視線を誘導するための誘導情報６５，６６が記載されている。
【００３５】
誘導情報６５は、保険商品パンフレット２のページ番号Ｎを指定することにより、パンフレット補助印刷物３から保険商品パンフレット２の記載事項へ顧客の視線を誘導する。
【００３６】
誘導情報６６は、保険商品パンフレット２の図Ｆ１を指定することにより、パンフレット補助印刷物３から保険商品パンフレット２の記載事項へ顧客の視線を誘導する。
【００３７】
また、パンフレット補助印刷物３には、保険商品パンフレット２の記載事項（例えば、図Ｆ１）の簡易説明文５７〜５９，５Ａが記載されている。
【００３８】
簡易説明文５７，５９は、保険商品の特徴の概略説明であり、重要ポイントに関する記載である。簡易説明文５８，５Ａは、保険商品パンフレット２の記載の追加的事項、補足説明に関する記載である。
【００３９】
本実施の形態において、パンフレット補助印刷物３における簡易説明文５７〜５９，５Ａは、営業担当者が保険商品パンフレット２を顧客に提示して口頭で行う営業活動における保険商品の説明と整合した内容であるとする。
【００４０】
また、パンフレット補助印刷物３には、営業担当者イラスト７が記載されている。パンフレット補助印刷物３における簡易説明文５７〜５９，５Ａは、営業担当者イラスト７のセリフ（語り）としてパンフレット補助印刷物３に記載されている。
【００４１】
以上説明した本実施の形態に係る印刷物１を用いることにより、顧客は、パンフレット補助印刷物３の記載内容をナビゲーション情報として用い、このパンフレット補助印刷物３の記載内容にそって、保険商品パンフレット２を読み進むことができる。これにより、顧客は、保険商品のパンフレットの記載内容を容易かつ正確に把握することができ、営業担当者が存在しない環境でパンフレットを読む場合であっても、実際に営業担当者から説明を受けているような感覚でパンフレットを読むことができる。
【００４２】
パンフレット補助印刷物３には、保険商品パンフレット２の記載への誘導情報６１〜６６が明確に記載されているため、顧客は、容易かつ自然に、パンフレット補助印刷物３の記載にしたがって、保険商品パンフレット２を読むことができる。
【００４３】
本実施の形態に係る印刷物１を用いることにより、営業担当者は、顧客に対する保険商品の説明を容易かつ適切に行うことができ、顧客の信用を得ることが容易となる。例えば、経験の浅い営業担当者や新規の保険商品を説明する営業担当者であっても、パンフレット補助印刷物３の記載内容を参考にしつつ、保険商品パンフレット２に記載されている保険商品の説明を行うことにより、容易かつ適切に保険商品の情報を顧客に提供することができ、円滑に営業を行うことができる。
【００４４】
本実施の形態に係る印刷物１を用いることにより、顧客は、パンフレット補助印刷物３に記載されている図Ｆ１及び表Ｔ１の意味を容易かつ適切に理解することができる。
【００４５】
パンフレット補助印刷物３に記載されている簡易説明文５１〜５９，５Ａは、営業担当者が保険商品パンフレット２を用いて顧客に対して行う説明と整合した内容である。このため、顧客は、営業担当者がいない状況においても、営業担当者の説明を受けつつ保険商品パンフレット２を読む場合と同様に、保険商品パンフレット２を読むことができ、保険商品の内容を簡単かつ正確に把握できる。
【００４６】
また、営業担当者から説明を受けた顧客（例えば夫婦の一方）は、パンフレット補助印刷物３の記載内容にそって、保険商品パンフレット２の内容を他の者（例えば夫婦の他方）に解説することが容易にでき、顧客同士が相談して保険商品の購入を検討することができる。すなわち、顧客は、営業担当者のいない場所において、営業担当者の保険商品の説明を精度高く再現することができる。
【００４７】
パンフレット補助印刷物３には、営業担当者イラスト７が記載されており、簡易説明文５１〜５９，５Ａは、営業担当者イラスト７のセリフとしてパンフレット補助印刷物３に記載されている。このため、顧客は、親近感を持って保険商品パンフレット２及びパンフレット補助印刷物３を読むことができる。
【００４８】
本実施の形態において、保険商品パンフレット２及びパンフレット補助印刷物３は、閉じた状態において同一のサイズとし、保険商品パンフレット２を横展開とし、パンフレット補助印刷物３を縦展開としている。このような構成とすることにより、顧客は、保険商品パンフレット２とパンフレット補助印刷物３との間の視線移動を容易に行うことができ、保険商品パンフレット２とパンフレット補助印刷物３とを並べるスペースも効率化できる。特に保険商品パンフレット２及びパンフレット補助印刷物３のサイズをＡ４又はＢ５とすることで、保険商品パンフレット２とパンフレット補助印刷物３との組み合わせの取り扱い、移動、保存が容易となる。
【００４９】
本実施の形態において、パンフレット補助印刷物３には、保険商品の特徴の概略説明、重要ポイント、追加的事項、補足説明が記載されているため、顧客は、保険商品パンフレット２のみを読む場合よりも、保険商品パンフレット２とパンフレット補助印刷物３との組み合わせを読むことにより、一層保険商品の内容を適切かつ効果的に理解することができ、保険商品パンフレット２とパンフレット補助印刷物３との記載内容から容易かつ正確に保険商品の特徴や重要点を把握することができる。
【００５０】
本実施の形態のように、パンフレット補助印刷物３に、保険商品のシミュレーション情報が記載されている場合、顧客は、一層正確かつ適切に保険商品の内容を理解することができ、保険商品の購入後の状況をイメージしやすくなる。
【００５１】
本実施の形態については、上記の構成そのままに限定されるものではなく、実施段階ではその要旨を逸脱しない範囲で構成要素を変形して具体化できる。
【図面の簡単な説明】
【００５２】
【図１】本考案の実施の形態に係る印刷物の第１の構成内容を示す図。
【図２】本実施の形態に係る印刷物の第２の構成内容を示す図。
【図３】本実施の形態に係る印刷物の第３の構成内容を示す図。
【図４】本実施の形態に係るパンフレット補助印刷物におけるページの記載内容の一例を示す図。
【符号の説明】
【００５３】
１…印刷物、２…保険商品パンフレット、３…パンフレット補助印刷物、４１〜４３…説明文、５１〜５９，５Ａ…簡易説明文、６１〜６６…誘導情報、７…営業担当者イラスト、Ｎ…ページ番号、Ｆ１…図、Ｔ１…表
【図１】
0003117869.tif 000003
【図２】
0003117869.tif 000004
【図３】
0003117869.tif 000005
【図４】
0003117869.tif 000006
【手続補正書】
【提出日】平成17年11月7日(2005.11.7)
【手続補正１】
【補正対象書類名】実用新案登録請求の範囲
【補正対象項目名】全文
【補正方法】変更
【補正の内容】
【実用新案登録請求の範囲】
【請求項１】
金融商品を説明するための印刷物であって、
金融商品パンフレットとパンフレット補助印刷物との組み合わせからなり、
前記金融商品パンフレットと前記パンフレット補助印刷物とは、閉じた状態において同一のサイズであり、
前記金融商品パンフレットは、横展開式であり、前記金融商品の説明文が印刷されており、各ページにページ番号が付してあり、前記金融商品に関する表と図とのうちの少なくとも一方が印刷されており、
前記パンフレット補助印刷物は、縦展開式であり、営業担当者イラストを記載しており、前記金融商品パンフレットを読み進む際のナビゲーション情報として、前記営業担当者イラストのセリフである前記金融商品パンフレットの記載事項の簡易説明文と、前記ページ番号、前記表、前記図のうちのいずれかを特定して前記金融商品パンフレットの記載事項へ誘導するための誘導情報とが記載されている
ことを特徴とする印刷物。
【請求項２】
請求項１記載の印刷物において、
前記金融商品は、保険商品であることを特徴とする印刷物。
【請求項３】
請求項１又は請求項２記載の印刷物において、
前記簡易説明文は、営業担当者が前記金融商品パンフレットを用いて顧客に対して行う説明と整合した内容であることを特徴とする印刷物。
【請求項４】
請求項１乃至請求項３のいずれか１項記載の印刷物において、
前記簡易説明文は、前記金融商品の特徴の概略説明を含むことを特徴とする印刷物。
【請求項５】
請求項１乃至請求項４のいずれか１項記載の印刷物において、
前記簡易説明文は、前記金融商品のシミュレーション情報を含むことを特徴とする印刷物。
【手続補正２】
【補正対象書類名】明細書
【補正対象項目名】０００７
【補正方法】変更
【補正の内容】
【０００７】
本考案の態様において、金融商品を説明するための印刷物は、金融商品パンフレットとパンフレット補助印刷物との組み合わせからなる。金融商品パンフレットとパンフレット補助印刷物とは、閉じた状態において同一のサイズである。金融商品パンフレットは、横展開式であり、金融商品の説明文が印刷されており、各ページにページ番号が付してあり、金融商品に関する表と図とのうちの少なくとも一方が印刷されている。パンフレット補助印刷物は、縦展開式であり、営業担当者イラストが記載されており、金融商品パンフレットを読み進む際のナビゲーション情報として、営業担当者イラストのセリフである金融商品パンフレットの記載事項の簡易説明文と、ページ番号、表、図のうちのいずれかを特定して金融商品パンフレットの記載事項へ誘導するための誘導情報とが記載されている。
【手続補正３】
【補正対象書類名】明細書
【補正対象項目名】０００８
【補正方法】削除
【補正の内容】